(57)【特許請求の範囲】
【請求項１】
便器本体の前面板の上側部の下縁を該前面板の下側部の上縁に枢着し、該上側部内面からは係合杆を差出し、一方該便器本体の上面には中央に汚物バケツが懸架される孔を設けた受板が前後摺動可能に載置され、該受板の前部には該前面板上側部の係合杆が係合する突部が設けられ、該便器本体後端には洗浄用シャワーが取付けられ、該前面板の上側部を前方に回動させたとき、該上側部の係合杆によって該受板が突部を介して前方へ移動し、汚物バケツを取出すとき該洗浄用シャワーのノズルに干渉しないようになることを特徴とする携帯用便器。
【請求項２】
該受板は、該受板に懸架されている汚物バケツが該前面板と干渉せずかつ汚物バケツを取出すとき洗浄用シャワーのノズルに干渉しないような位置まで引出されるように前方への摺動を規制手段によって規制されている請求項１に記載の携帯用便器。
【請求項３】
該規制手段は前面板の上側部の前方への回動を規制する手段である請求項２に記載の携帯用便器。
【発明の詳細な説明】
【０００１】
【発明の属する技術分野】
本発明は洗浄用シャワー付き携帯用便器に関するものである。
【０００２】
【従来の技術】
従来、図９および図１０に示すように、便器本体(2A)上面に受板(8A)が前後摺動可能に載置され、該受板(8A)に汚物バケツ（図示せず）が懸架されており、汚物バケツを取出すときには、該汚物バケツが懸架されている受板(8A)を手で前方に引出して、汚物バケツの後端部が洗浄用シャワーのノズル（図示せず）に干渉するのを防止する洗浄用シャワー付き携帯用便器(1A)が提供されている。
【０００３】
【発明が解決しようとする課題】
しかしながら上記従来の携帯用便器(1A)では、汚物バケツを取出す場合、受板(8A)を手で引出すには、汚物バケツを懸架した受板(8A)を摺動させるのに相応の力が必要なため、特に汚物バケツの内容物が多い場合には、受板(8A)を引出すために大きな労力を必要とするという問題があった。更に、その場合には、受板(8A)の引出し速度を調整するのが困難であり、受板(8A)をゆっくり引出すのが難しいので、受板(8A)を過度に強く引出してしまうことがあり、その際に受板(8A)を強く引出したときの衝撃で受板(8A)に懸架された汚物バケツ内の内容物が揺れ動いてこぼれるという問題点があった。
また、受板(8A)を引出すべき距離が不明確であるため、必要以上に受板(8A)を引出したり、または受板(8A)を引出す距離が足りないことがあり、その場合、汚物バケツを持ち上げるときに汚物バケツが洗浄用シャワーに干渉して洗浄用シャワーが破損したり汚物バケツが揺れて内容物がこぼれるという問題があった。
【０００４】
【課題を解決するための手段】
本発明は上記従来の課題を解決するための手段として、便器本体(2) の前面板(14)の上側部(15)の下縁を該前面板(14)の下側部(16)の上縁に枢着し、該上側部(15)内面からは係合杆(19)を差出し、一方該便器本体(2) の上面には中央に汚物バケツ(9) が懸架される孔(10)を設けた受板(8) が前後摺動可能に載置され、該受板(8) の前部には該前面板(14)上側部(15)の係合杆(19)が係合する突部(12)が設けられ、該便器本体(2) 後端には洗浄用シャワー(6) が取付けられ、該前面板(14)の上側部(15)を前方に回動させたとき、該上側部(15)の係合杆(19)によって該受板(8) が突部(12)を介して前方へ移動し、汚物バケツ(9) を取出すとき該洗浄用シャワー(6) のノズル(61)に干渉しないようになる携帯用便器(1) を提供するものである。
該受板(8) は、該受板(8) に懸架されている汚物バケツ(9) が該前面板(14)と干渉せずかつ汚物バケツ(9) を取出すとき洗浄用シャワー(6) のノズル(61)に干渉しないような位置まで引出されるように前方への摺動を規制手段によって規制されていることが望ましく、更に、該規制手段は前面板(14)の上側部(15)の前方への回動を規制する手段であることが望ましい。
【０００５】
【作用】
本発明の携帯用便器(1) では、前面板(14)の上側部(15)を前方へ回動させて、前面板(14)の上側部(15)の係合杆(19)によって受板(8) の突部(12)を介して受板(8) を前方へ引出すので、梃子の原理によって、前面板(14)の上側部(15)を把手(18)を介して回動させるのに必要な力が小さくて済み、受板(8) を引出すための労力を軽減することが出来る。
また、前面板(14)の係合杆(19)が回動する速度は前面板(14)の上側部(15)の把手(18)を回動させる速度よりも小さく、受板(8) の摺動速度は前面板(14)の係合杆(19)の回動速度よりも小さいため、受板(8) の摺動速度は前面板(14)の上側部(15)の把手(18)を回動させる速度よりも小さくなるので、受板(8) を引出す際の摺動速度が大きいために汚物バケツ(9) が揺れて内容物がこぼれることがない。
【０００６】
【発明の実施の形態】
本発明を図１〜図６に示す一実施例によって説明する。
図１に示すように、携帯用便器(1) は、上面中央に開口部を有する便器本体(2) と、該便器本体(2) の後部両側から立設される背もたれ(3) と、該便器本体(2) の左右両側に設けられるアームレスト(4) と、該便器本体(2) の後端部に跳ね上げ可能に枢着される便座(5) とからなり、該便器本体(2) 後端には洗浄用シャワー(6) が取付けられている。更に、本実施例では、便器本体(2) の開口部の内壁左右両側の所定の位置には一対の係止ピン(7) がそれぞれ凸設されている（図５および図６参照）。
【０００７】
図２〜図４に示すように、便器本体(2) の上面には受板(8) が前後摺動可能に載置されており、該受板(8) の中央には汚物バケツ(9) を懸架するための孔(10)が設けられ、該孔(10)の周囲には便座(5) を受止するための段部(10)が設けられており、また、該受板(8) の前部には突部(12)が垂設されている。更に、本実施例では、該受板(8) の後部左右両側には係止部(13)がそれぞれ設けられている（図５および図６参照）。
また、便器本体(2) の前面には上側部(15)と下側部(16)とからなる前面板(14)が設けられており、該前面板(14)の上側部(15)の下縁と該前面板(14)の下側部(16)の上縁との間にはヒンジ(17)が介設され、該ヒンジ(17)を介して該前面板(14)の上側部(15)は前方に回動可能に前面板(14)の下側部(16)に枢着されており、更に、該前面板(14)の上側部(15)の前面中央には把手(18)が凹設されており、該前面板(14)の上側部(15)内面からは該受板(8) の突部(12)に係合する係合杆(19)が差出されている。
【０００８】
図５および図６に示すように、汚物バケツ(9) を取出す場合には、前面板(14)の上側部(15)を前面板(14)の上側部(15)の把手(18)を介して前方に回動させ、汚物バケツ(9) が懸架されている受板(8) を前面板(14)の上側部(15)の係合杆(19)によって受板(8) の突部(12)を介して前方へ摺動させる。
そして、汚物バケツ(9) が懸架されている受板(8) が、汚物バケツ(9) が前面板(14)と干渉せずかつ汚物バケツ(9) を取出すとき洗浄用シャワー(6) のノズル(61)に干渉しないような位置まで引出されると、受板(8) の係止部(13)が便器本体(2) の係止ピン(7) に当接して、受板(8) の前方への摺動が規制され、汚物バケツ(9) を容易に取出すことが出来る状態となる。
【０００９】
このように、前面板(14)の上側部(15)を前方へ回動させて、前面板(14)の上側部(15)の係合杆(19)によって受板(8) の突部(12)を介して受板(8) を前方へ引出すので、前面板(14)のヒンジ(17)を支点とし、前面板(14)の上側部(15)の把手(18)を力点とし、前面板(14)の上側部(15)の係合杆(19)を作用点とした梃子の原理によって、前面板(14)の上側部(15)を把手(18)を介して回動させるのに必要な力が小さくて済み、受板(8) を引出すための労力を軽減することが出来る。
この場合、前面板(14)の係合杆(19)が回動する速度は前面板(14)の上側部(15)の把手(18)を回動させる速度よりも小さく、受板(8) の摺動速度は前面板(14)の係合杆(19)の回動速度よりも小さいため、受板(8) の摺動速度は前面板(14)の上側部(15)の把手(18)を回動させる速度よりも小さくなるので（図５参照）、受板(8) を引出す際の摺動速度が大きいために汚物バケツ(9) が揺れて汚物バケツ(9) 内の内容物がこぼれることがない。
【００１０】
また、前面板(14)の係合杆(19)を介して受板(8) を引出すにつれて、前面板(14)の係合杆(19)の上向き角度が次第に大きくなり（図６参照）、前面板(14)の係合杆(19)の回動速度の水平成分は次第に小さくなって、受板(8) の摺動速度が次第に遅くなるので、受板(8) を所定の位置まで引出した場合に受板(8) の係止部(13)が便器本体(2) の係止ピン(7) に当接するときに生じる衝撃が小さく、その衝撃によって汚物バケツ(9) が揺れて汚物バケツ(9) 内の内容物がこぼれることがない。
そして、所定の位置まで受板(8) が引出されると、受板(8) の係止部(13)が便器本体(2) の係止ピン(7) に当接して、受板(8) は前方への摺動を規制されるので（図６参照）、受板(8) の摺動距離を必要最小限に設定することが出来、汚物バケツ(9) を取出すために必要な受板(8) の摺動距離を確実に確保することが出来る。そのため、汚物バケツ(9) を持ち上げるときに汚物バケツ(9) が洗浄用シャワー(6) に干渉して、洗浄用シャワー(6) が破損したり汚物バケツ(9) 内の内容物がこぼれたりすることがない。
【００１１】
更に、本実施例では、受板(8) は便器本体(2) 上面に載置されているので、便器本体(2) から簡単に取外すことが出来、受板(8) を便器本体(2) から取外して容易に清掃することが出来る。
【００１２】
図７および図８には他の実施例が示される。図１〜図６に示した前実施例では便器本体(2) に係止ピン(7) が設けられ受板(8) に係止部(13)が設けられているのに対して、本実施例では前面板(14)の下側部(16)の上縁には係止片(20)が設けられている。
【００１３】
汚物バケツ(9) を取出す場合には、汚物バケツ(9) が懸架されている受板(8) が、汚物バケツ(9) が該前面板(14)と干渉せずかつ汚物バケツ(9) を取出すとき洗浄用シャワー(6) のノズル(61)に干渉しないような位置まで引出されると、前面板(14)の下側部(16)に設けられた係止片(20)が前面板(14)の上側部(15)の前面下縁部に当接して、前面板(14)の上側部(15)は前方への回動を規制されるとともに受板(8) は前方への摺動を規制され（図８参照）、汚物バケツ(9) を容易に取出すことが出来る状態となる。
【００１４】
【発明の効果】
本発明では、汚物バケツが懸架された受板を引出すための労力を軽減することが出来、汚物バケツを取出すときに汚物バケツが干渉して洗浄用シャワーが破損したり汚物バケツが揺れて内容物がこぼれることがない。
【図面の簡単な説明】
図１〜図６は本発明の一実施例を示すものである。
【図１】斜視図である。
【図２】部分拡大斜視図である。
【図３】前面板の上側部を回動させた状態を示す部分拡大斜視図である。
【図４】前面板の上側部を回動させた状態を示す裏面からの部分拡大斜視図である。
【図５】説明側断面図である。
【図６】前面板の上側部を回動させた状態を示す説明側断面図である。
【図７】他の実施例における説明側断面図である。
【図８】他の実施例において前面板の上側部を回動させた状態を示す説明側断面図である。
【図９】従来例の部分拡大斜視図である。
【図１０】従来例において受板を引出した状態を示す部分拡大斜視図である。
【符号の説明】
1           携帯用便器
2           便器本体
6           洗浄用シャワー
61          ノズル
8           受板
9           汚物バケツ
10          孔
12          突部
14          前面板
15          上側部
16          下側部
19          係合杆
【図１】
0003779922.tif 000002
【図２】
0003779922.tif 000003
【図３】
0003779922.tif 000004
【図４】
0003779922.tif 000005
【図５】
0003779922.tif 000006
【図６】
0003779922.tif 000007
【図７】
0003779922.tif 000008
【図８】
0003779922.tif 000009
【図９】
0003779922.tif 000010
【図１０】
0003779922.tif 000011